(57)【要約】【課題】  アタッシュケースや、ビジネスバックや、女性用ポジェットなどに入れたとき携帯を容易とする携帯型ペットボトルを提供すること。【解決手段】  本発明の携帯型ペットボトル１０は、上方に飲み物用のキャップ１９が設けられ飲み物が入れられる容器本体１１の横断面を矩形形状とし、容器本体１１の側面部１３の横幅を容器本体１１の前面部１２の横幅の整数分の１とし、また、容器本体１１の前面部１２の横幅を全体の高さの整数分の１とすることとした。【選択図】  図１
2005029253.tif 000002
【特許請求の範囲】
【請求項１】
飲み物が入れられる容器本体の横断面を矩形形状とし、前記容器本体の側面部の横幅を前記容器本体の前面部の横幅の整数分の１とすることを特徴とする携帯型ペットボトル。
【請求項２】
前記容器本体の前面部の横幅を全体の高さの整数分の１とすることを特徴とする請求項１に記載の携帯型ペットボトル。
【請求項３】
前記容器本体は、前記容器本体の上面部に飲み物用のキャップを設けたことを特徴とする請求項１または請求項２に記載の携帯型ペットボトル。
【請求項４】
前記容器本体は、前記容器本体の上面部と、前記側面部との間に形成した傾斜面に飲み物用のキャップを設けたことを特徴とする請求項１または請求項２に記載の携帯型ペットボトル。
【請求項５】
前記容器本体は、前記容器本体の上面部と、前記側面部と、前記前面部との間に形成した三角形状の傾斜面に飲み物用のキャップを設けたことを特徴とする請求項１または請求項２に記載の携帯型ペットボトル。
【発明の詳細な説明】
【発明の詳細な説明】
【技術分野】
【０００１】  本発明は、アタッシュケースや、ビジネスバックや、女性用ポジェットなどに入れたとき携帯を容易とする携帯型ペットボトルに関する。
【背景技術】
【０００２】  図５は、従来の飲料用のペットボトルの斜視図を示す。
図５に示すように、この飲料用のペットボトル５０は、プラスチックで形成され、カップ部５８が上部に形成された容器本体５１と、カップ部５８の頭部に取付けられるキャップ５９とから構成され、容器本体５１は、横断面が正四角形に形成されている（例えば、特許文献１参照）。
【特許文献１】        特開平９−２４０６４８号公報
【発明が解決しようとする課題】
【０００３】  以上述べたように、従来の飲料用のペットボトルは、容器本体５１の横断面が正四角形の形状となり、キャップ５９が上部に取付けられ、飲料水や、コーヒー、ジュースなどの飲み物が入れられる容器として安価に使用できるため、広く普及している。
しかしながら、従来の飲料用のペットボトルは、横断面が正四角形の形状となっており、アタッシュケースや、ビジネスバックや、女性用ポジェットなどの厚さが比較的薄いバック類に入れ持ち運びをするときには、中で嵩張ってしまい極めて携帯がし難いという問題があった。
本発明は、上記に鑑みてなされたものであって、アタッシュケースや、ビジネスバックや、女性用ポジェットなどに入れたとき携帯を容易とする携帯型ペットボトルを提供することを目的とする。
【課題を解決するための手段】
【０００４】  本発明の携帯型ペットボトルは、飲み物が入れられる容器本体の横断面を矩形形状とし、前記容器本体の側面部の横幅を前記容器本体の前面部の横幅の整数分の１とすることとした。
また、前記容器本体の前面部の横幅を全体の高さの整数分の１とすることとした。
また、前記容器本体は、前記容器本体の上面部に飲み物用のキャップを設けることとした。
また、前記容器本体は、前記容器本体の上面部と、前記側面部との間に形成した傾斜面に飲み物用のキャップを設けることとした。
さらに、前記容器本体は、前記容器本体の上面部と、前記側面部と、前記前面部との間に形成した三角形状の傾斜面に飲み物用のキャップを設けることとした。
【発明を実施するための最良の形態】
【０００５】  以下、本発明の実施の形態について説明する。【０００６】  図１は、本発明の第１の実施の形態の携帯型ペットボトルの斜視図を示す。
図１に示すように、本発明の第１の実施の形態の携帯型ペットボトル１０は、ポリエチレン・テフタレート（ＰＥＴ）などのプラスチックで形成され、カップ部１８が上部に形成された容器本体１１と、容器本体１１の頭部に取付けられる飲み物用のキャップ１９とから構成されている。また、容器本体１１は、前面部１２と、裏面部（図示せず）と、右の側面部１３と、左の側面部（図示せず）と、底面部（図示せず）とが形成され、横断面が矩形の形状となっている。
容器本体１１の右の側面部１３の横幅Ｌは、前面部１２の横幅Ｗより狭く設定されており、前面部１２の横幅Ｗの２分の１の値に設定されている。また、同様に、容器本体１１の左の側面部（図示せず）の横幅も、前面部１２の横幅Ｗより狭く設定されており、前面部１２の横幅Ｗの２分の１の値に設定されている。そのため、厚みが比較的薄いバック類でも、容易に収納することができ携帯を容易にすることができる。また、製作のときや、運送のときに、箱やダンボールに縦横に効果的に収納することができる。左右の側面部の横幅Ｌは、前面部１２の横幅Ｗの２分の１の値に限らず、予め定めた整数分の１の値に設定することができ、同様の効果を得ることができる。
さらに、前面部１２の横幅Ｗは、キャップ１９を含む全体の高さＨの整数分の１の値に設定することにより、収納を効果的にすることができる。なお、上記した整数分の１の値は、その値の近辺でも同様の効果を得ることができる。【０００７】  図２は、本発明の第２の実施の形態の携帯型ペットボトルの斜視図を示す。
図２に示すように、本発明の第２の実施の形態の携帯型ペットボトル２０は、ポリエチレン・テフタレート（ＰＥＴ）などのプラスチックで形成された容器本体２１と、容器本体２１の上部に取付けられる飲み物用のキャップ２９とから構成されている。また、容器本体２１は、前面部２２と、裏面部（図示せず）と、右の側面部２３と、左の側面部（図示せず）と、底面部（図示せず）と、上面部２４で形成され、横断面が矩形の形状となっており、キャップ２９は、上面部２４の中央に取付けられている。
容器本体２１の右の側面部２３の横幅Ｌは、前面部２２の横幅Ｗより狭く設定されており、第１の実施例と同様に設定されている。そのため、厚みが比較的薄いバック類でも、容易に収納することができ携帯を容易にすることができる。また、製作のときや、運送のときに、箱やダンボールに縦横に効果的に収納することができる。また、前面部２２の横幅Ｗも、キャップ２９を含む全体の高さＨに対し第１の実施例と同様に設定されており、収納を効果的にすることができる。
さらに、キャップ２９は、上面部２４の中央に取付けられているため、同じ外形形状でも中に入れられる飲み物の収納容量を増やすことができ携帯に適したものとすることができる。【０００８】  図３は、本発明の第３の実施の形態の携帯型ペットボトルの斜視図を示す。
図３に示すように、本発明の第３の実施の形態の携帯型ペットボトル３０は、ポリエチレン・テフタレート（ＰＥＴ）などのプラスチックで形成された容器本体３１と、容器本体３１の側面上部コーナに取付けられる飲み物用のキャップ３９とから構成されている。また、容器本体３１は、前面部３２と、裏面部（図示せず）と、右の側面部３３と、左の側面部（図示せず）と、底面部（図示せず）と、上面部３４で形成され、横断面が矩形の形状となっている。キャップ３９は、上面部３４と右の側面部３３との間に形成した傾斜面３５に設けられている。
容器本体３１の右の側面部３３の横幅Ｌは、前面部３２の横幅Ｗより狭く設定されており、第１の実施例と同様に設定されている。そのため、厚みが比較的薄いバック類でも、容易に収納することができ携帯を容易にすることができる。また、製作のときや、運送のときに、箱やダンボールに縦横に効果的に収納することができる。また、前面部３２の横幅Ｗも、全体の高さＨに対し第１の実施例と同様に設定されており、収納を効果的にすることができる。
さらに、キャップ３０は、上面部３４と右の側面部３３との間に形成した傾斜面３５に取付けられているため、同じ外形形状でも中に入れられる飲み物の収納容量を増やすことができ携帯に適したものとすることができる。【０００９】  図４は、本発明の第４の実施の形態の携帯型ペットボトルの斜視図を示す。
図４に示すように、本発明の第４の実施の形態の携帯型ペットボトル４０は、ポリエチレン・テフタレート（ＰＥＴ）などのプラスチックで形成された容器本体４１と、容器本体４１の前面と側面との上部コーナに取付けられる飲み物用のキャップ４９とから構成されている。また、容器本体４１は、前面部４２と、裏面部（図示せず）と、右の側面部４３と、左の側面部（図示せず）と、底面部（図示せず）と、上面部４４で形成され、横断面が矩形の形状となっている。キャップ４９は、上面部４４と前面部４２と側面部４３との間に形成した三角形状の傾斜面４５に設けられている。
容器本体４１の右の側面部４３の横幅Ｌは、前面部４２の横幅Ｗより狭く設定されており、第１の実施例と同様に設定されている。そのため、厚みが比較的薄いバック類でも、容易に収納することができ携帯を容易にすることができる。また、製作のときや、運送のときに、箱やダンボールに縦横に効果的に収納することができる。また、前面部４２の横幅Ｗも、全体の高さＨに対し第１の実施例と同様に設定されており、収納を効果的にすることができる。
さらに、キャップ４９は、上面部４４と前面部４２と側面部４３との間に形成した三角形状の傾斜面４５に飲み物用のキャップ４９が設けられているため、同じ外形形状でも中に入れられる飲み物の収納容量を増やすことができ携帯に適したものとすることができる。【００１０】  以上述べたように、本発明に関わる携帯型ペットボトルは、アタッシュケースや、ビジネスバックや、女性用ポジェットなどのバック類に入れたとき携帯を容易にすることができ、また、製作のときや、運送のときに、箱やダンボールに縦横に効果的に収納することができ、さらに、同じ外形形状でも中に入れられる飲み物の収納容量を増やすことができる。
【発明の効果】
【００１１】  本発明の携帯型ペットボトルは、飲み物が入れられる容器本体の横断面を矩形形状とし、前記容器本体の側面部の横幅を前記容器本体の前面部の横幅の整数分の１とすることとしたため、アタッシュケースや、ビジネスバックや、女性用ポジェットなどのバック類に入れたとき携帯を容易にすることができ、また、製作のときや、運送のときに、箱やダンボールに効果的に収納することができる。
また、前記容器本体の前面部の横幅を全体の高さの整数分の１とすることとしたため、製作のときや、運送のときに、箱やダンボールにさらに効果的に収納することができる。
また、前記容器本体は、前記容器本体の上面部に飲み物用のキャップを設けることとしたため、同じ外形形状でも中に入れられる飲み物の収納容量を増やすことができ、携帯に適したものとすることができる。
また、前記容器本体は、前記容器本体の上面部と、前記側面部との間に形成した傾斜面に飲み物用のキャップを設けることとしたため、同じ外形形状でも中に入れられる飲み物の収納容量を増やすことができ、携帯に適したものとすることができる。
さらに、前記容器本体は、前記容器本体の上面部と、前記側面部と、前記前面部との間に形成した三角形状の傾斜面に飲み物用のキャップを設けることとしたため、同じ外形形状でも中に入れられる飲み物の収納容量を増やすことができ、携帯に適したものとすることができる。
【図面の簡単な説明】
【図１】  本発明の第１の実施の形態の携帯型ペットボトルの斜視図を示す。
【図２】  本発明の第２の実施の形態の携帯型ペットボトルの斜視図を示す。
【図３】  本発明の第３の実施の形態の携帯型ペットボトルの斜視図を示す。
【図４】  本発明の第４の実施の形態の携帯型ペットボトルの斜視図を示す。
【図５】  従来の飲料用のペットボトルの斜視図を示す。
【符号の説明】
１０、２０、３０、４０  携帯型ペットボトル
１１、２１、３１、４１  容器本体
１２、２２、３２、４２  前面部
１３、２３、３３、４３  右の側面部
１８  カップ部
１９、２９、３９、４９  キャップ
２４、３４、４４  上面部
３５  傾斜面
４５  三角形状の傾斜面
【図１】
2005029253.tif 000003
【図２】
2005029253.tif 000004
【図３】
2005029253.tif 000005
【図４】
2005029253.tif 000006
【図５】
2005029253.tif 000007